(57)【要約】  【課題】  ストックヤード内に敷き広げられる汚染土壌の揮発分を安全に、かつ経済的に処理できるようにしたストックヤード内の汚染土壌の揮発分処理方法を提供する。  【解決手段】  揮発性汚染物質を含む汚染土壌を敷き広げるストックヤード１の上部に可変速モーター４駆動の排気ファン３を配設し、該排気ファン３の排気ダクト５末端に揮発性汚染物質を無害処理するガス処理装置６を配設する。また、ストックヤード１内には汚染土壌から揮発してヤード内に滞留する揮発分濃度を計測する濃度計７を備える。そして、濃度計７にてヤード内の揮発分濃度を計測し、揮発分濃度が高いと爆発が起こらないように排気ファン３を高速に回転させて排気を多くし、また揮発分濃度が低いと排気ファン３を低速に回転させて排気ファンの消費電力を節約する。【選択図】  図１
2005169328.tif 000002
【特許請求の範囲】
【請求項１】
揮発性汚染物質を含む汚染土壌を敷き広げるストックヤードの上部に排気ファンを配設し、該排気ファンの排気ダクト末端に揮発性汚染物質を無害処理するガス処理装置を配設すると共に、ストックヤード内には汚染土壌から揮発してヤード内に滞留する揮発分濃度を計測する濃度計を備え、該濃度計の計測値に応じて前記排気ファンの排気量を増減調整しながらヤード内に滞留する揮発分を排気して前記ガス処理装置にて無害化処理するようにしたことを特徴とするストックヤード内の汚染土壌の揮発分処理方法。
【発明の詳細な説明】
【技術分野】
【０００１】
本発明は、灯油、軽質油、重質油、マシン油、ＶＯＣ（揮発性有機化合物）などの汚染物質を含んだ汚染土壌をストックヤード等の覆われた建物内に敷き広げて保管するときに、汚染土壌より揮発する揮発分の処理方法に関する。
【背景技術】
【０００２】
近年、産業活動に伴って各事業所の敷地内やその周辺地域の土壌が油等の汚染物質の廃液によって汚染され、その土壌の地下を流れる地下水にまで汚染が及んでいるといったことが取り沙汰されて問題となっている。このように汚染された土壌を浄化処理するために、ストックヤード等の覆われた建物内に汚染土壌を敷き広げ、バクテリア等の微生物によって土壌中の揮発性有機化合物や油性物質を分解したり、また加熱装置により加熱することによって揮発性有機化合物を揮発させて浄化処理することがある。
【特許文献１】特開２００１−１０４９３３
【発明の開示】
【発明が解決しようとする課題】
【０００３】
しかしながら、掘り起こした汚染土壌をストックヤード内に敷き広げた初期の段階では汚染土壌中の揮発性有機化合物が多く揮発してヤード内に滞留し、所定濃度となれば爆発の危険性もあるので、排気ファンを常に駆動させて排気しているが、揮発性有機化合物の揮発が少なくなっても排気ファンを定速回転で駆動していれば電力消費も多くて不経済である。
【０００４】
本発明は上記の点に鑑み、ストックヤード内に敷き広げらた汚染土壌の揮発分を安全に、かつ経済的に処理できるようにしたストックヤード内の汚染土壌の揮発分処理方法を提供することを課題とする。
【課題を解決するための手段】
【０００５】
上記の課題を解決するために、本発明に係るストックヤード内の汚染土壌の揮発分処理方法にあっては、揮発性汚染物質を含む汚染土壌を敷き広げるストックヤードの上部に排気ファンを配設し、該排気ファンの排気ダクト末端に揮発性汚染物質を無害処理するガス処理装置を配設すると共に、ストックヤード内には汚染土壌から揮発してヤード内に滞留する揮発分濃度を計測する濃度計を備え、該濃度計の計測値に応じて前記排気ファンの排気量を増減調整しながらヤード内に滞留する揮発分を排気して前記ガス処理装置にて無害化処理するようにしたことを特徴としている。
【発明の効果】
【０００６】
本発明に係るストックヤード内の汚染土壌の揮発分処理方法によれば、ストックヤード内には汚染土壌から揮発してヤード内に滞留するする揮発分濃度を計測する濃度計を備え、該濃度計の計測値に応じて前記排気用ファンの排気量を増減調整しながらヤード内に滞留する揮発分を排気して前記ガス処理装置にて無害化処理するようにしたので、ストックヤード内の揮発分濃度が高いと排気ファンが高速回転で排気して爆発の危険を早急に回避でき、また、揮発分濃度が低いと排気ファンが低速回転で排気して消費電力を少なく抑えて経済的となる。
【発明を実施するための最良の形態】
【０００７】
本発明に係るストックヤード内の汚染土壌の揮発分処理方法によれば、揮発性汚染物質を含む汚染土壌を敷き広げる全閉式のストックヤードの上部に排気ファンを配設し、該排気ファンの駆動用に可変速モータを取り付ける。そして、ストックヤード内には揮発分濃度を計測できる炭化水素計測用の濃度計を備え、該濃度計による計測値にほぼ比例させて排気ファンの可変速モーターの回転数を制御する。排気ファンによって排気されるガスは排気ダクトを通過させてガス処理装置に送り込んで無害処理する。このように、ストックヤード内の揮発分に応じて排気ファンの排気量を変化させるので、揮発分の濃度が高ければ排気ファンによる排気量も多くなって迅速に排気して爆発の危険性を回避でき、また揮発分の濃度が低ければ排気ファンの回転数が低下して経済的な運転となって消費電力を節約できる。
【実施例１】
【０００８】
以下、本発明の実施例を図面に基づいて説明する。
【０００９】
図中の１は、揮発性有機化合物を含む汚染土壌Ａを敷き広げて保管するストックヤードであって、運搬車出入り口にシャッター２を備えている。この敷き広げた汚染土壌Ａにはバクテリア等の微生物を加えると共に、栄養分や空気（酸素）を加えて揮発性有機化合物や油性物質を分解して浄化したり、また、汚染土壌を加熱するなどして揮発分を揮発させて浄化することが行われる。
【００１０】
ストックヤード１の上部には揮発分を外部に除去するための排気ファン３が取り付けられており、該排気ファン３は可変速モーター４またはインバータ制御によって排気ファンの回転速度を増減調整できるようになっている。排気ファン３の排気ダクト５の末端にはガス中の揮発性有機化合物を除去するためのガス処理装置６を配設している。ガス処理装置６は、例えば、バイオフィルター、活性炭、触媒、または燃焼装置等により構成されていて揮発性有機化合物を分解、吸着などして無害化とする。
【００１１】
また、ストックヤード１内にはヤード内の揮発分濃度を計測するために、例えば、炭化水素濃度を計測する濃度計７を取り付けている。濃度計７によって計測される計測値は回転数調整器８に取り込まれ、その計測値に応じて排気ファン３の可変速モーター４の回転数を制御するようにしてあり、室内の揮発分濃度が高ければ排気ファン３が高速に回転して速やかに排気を行い、また室内の揮発濃度が低ければ排気ファンが低速に回転して排気を行うようになっている。
【００１２】
しかして、掘削してきた汚染土壌をストックヤード１内に敷き広げると、汚染土壌中の揮発分が徐々に揮発していく。この揮発分がヤード内に充満していくと濃度計７によって揮発分濃度が計測され、この計測値に応じて排気ファン３が設定された回転数にて回転することとなる。汚染土壌中に揮発性有機化合物を多く含んでいたり、また夏場などのように汚染土壌の温度が高ければ揮発量も多く、爆発の可能性もあるので排気ファン３は高速に回転して揮発分を速やかに排気してガス処理装置６へと導いて分解処理する。また、ある程度揮発してしまうとヤード内の揮発分濃度が低下することとなるので、この場合には排気ファン３は低速に回転して排気し、更に揮発分濃度が低下すると排気ファン３は停止することとなる。
【００１３】
このように、ストックヤード１内の揮発分濃度が高くなると排気ファン３が高速回転して排気するので、爆発の危険性は早急に回避されて安全性が確保され、また揮発分濃度が低下すると排気ファン３は低速回転して消費電力も小さくなって経済的な運転となる。
【図面の簡単な説明】
【００１４】
【図１】本発明に係るストックヤード内の汚染土壌の揮発分処理方法を実施する装置の一実施例を示す概略説明図である。
【符号の説明】
【００１５】
１…ストックヤード          ３…排気ファン
４…可変速モーター          ５…排気ダクト
６…ガス処理装置            ７…濃度計
８…回転数調整器
【図１】
2005169328.tif 000003